【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
放送番組を、その放送局、放送日及び放送時間を特定可能な態様で記憶し、記憶された番組のうち、指定される放送局で、指定される日時に放送されていたものを出力する機能を持つ記憶・出力装置とともに用いられる出力制御装置であって、
放送局情報と出力開始時刻とが記述された、番組の出力シーケンスを指示するシーケンス情報を記憶するためのシーケンス情報記憶手段と、
指定される番組の出力を開始するように指示する出力開始指示信号を、前記シーケンス情報記憶手段に記憶されたシーケンス情報に記述された放送局情報と、前記出力開始時刻とを用いて生成し、前記記憶・出力装置に対して与えるための出力開始制御手段とを含む、出力制御装置。
【請求項２】
前記シーケンス情報は、前記出力開始時刻と対になるように記載された出力終了時刻をさらに含み、
前記出力開始制御手段は、前記シーケンス情報記憶手段に記憶されたシーケンス情報に記述された前記放送局情報により指定される番組の出力を、前記出力開始時刻から前記出力終了時刻まで行なうように指示する出力開始指示信号を、前記放送局情報と、前記出力開始時刻と、前記出力終了時刻とを用いて生成し、前記記憶・出力装置に対して与えるための手段を含む、請求項１に記載の出力制御装置。
【請求項３】
前記出力開始指示信号生成手段は、前記シーケンス情報記憶手段に記憶されたシーケンス情報に記述された放送局情報と、前記出力開始及び終了時刻と、出力開始を指示する所定のコマンドとを含む出力開始指示信号を、前記放送局情報と、前記出力開始時刻と、前記出力終了時刻とを用いて生成し、前記記憶・出力装置に与えるための手段を含む、請求項２に記載の出力制御装置。
【請求項４】
前記シーケンス情報は、前記出力開始時刻と対になるように記載された出力終了時刻をさらに含み、
前記出力制御装置はさらに、前記出力開始制御手段により開始された番組の出力を前記出力終了時刻に対応する出力位置で終了するように指示する出力終了指示信号を、前記シーケンス情報記憶手段に記憶されたシーケンス情報に記述された放送局情報と、前記出力終了時刻とを用いて生成し、前記記憶・出力装置に与えるための出力終了制御手段を含む、請求項１に記載の出力制御装置。
【請求項５】
前記シーケンス情報は、前記出力開始時刻と対になるように記載された出力終了時刻をさらに含み、
前記出力制御装置はさらに、前記出力開始制御手段により開始された番組の出力を終了するように指示する出力終了指示信号を生成し、前記出力終了時刻により指定される時刻に前記記憶・出力装置に与えるための出力終了制御手段を含む、請求項１に記載の出力制御装置。
【請求項６】
前記シーケンス情報は、各々が当該シーケンス情報に関連する番組の出力箇所を別々に指定する、複数の出力指示情報を含むことがあり、
前記複数の出力指示情報の各々は、番組の放送局情報と、出力開始時刻との記述を含み、
前記シーケンス情報は、前記シーケンス情報に対するタイトル情報をさらに含み、
前記出力制御装置はさらに、
当該シーケンス情報に含まれるタイトル情報と、前記複数の出力指示情報の各々により指定される箇所の出力を開始するためにユーザが操作すべき、複数のグラフィカルユーザインタフェース（ＧＵＩ）部品とを前記表示装置上に表示するための手段と、
前記表示するための手段により表示されたＧＵＩ部品のいずれかがユーザにより操作されたことに応答して、当該操作されたＧＵＩ部品に対応する出力指示情報内の放送局情報により指定される番組の、指定される箇所の出力を開始するように指示する出力開始指示信号を、前記操作されたＧＵＩ部品に対応する出力指示情報内の放送局情報及び出力開始時刻を用いて生成し、前記記憶・出力装置に与えるための手段とを含む、請求項１に記載の出力制御装置。
【請求項７】
前記シーケンス情報は、各々が当該シーケンス情報に関連する番組の出力箇所を別々に指定する、複数の出力指示情報を含むことがあり、
前記複数の出力指示情報の各々は、番組の放送局情報と、出力開始時刻と、出力終了時刻との記述を含み、
前記シーケンス情報は、前記シーケンス情報に対するタイトル情報を含み、
前記出力制御装置はさらに、
当該シーケンス情報に含まれるタイトル情報と、前記複数の出力指示情報の各々により指定される箇所の出力を開始するためにユーザが操作すべき、複数のＧＵＩ部品とを前記表示装置上に表示するための手段と、
前記表示するための手段により表示されたＧＵＩ部品のいずれかがユーザにより操作されたことに応答して、当該操作されたＧＵＩ部品に対応する出力指示情報内の放送局情報により指定される番組の、出力開始時刻により指定される箇所から出力終了時刻により指定される箇所までの出力を開始するように指示する出力開始指示信号を、当該操作されたＧＵＩ部品に対応する出力指示情報内の放送局情報と、出力開始時刻及び出力終了時刻とを用いて生成し、前記記憶・出力装置に与えるための手段とを含む、請求項１に記載の出力制御装置。
【請求項８】
前記シーケンス情報は、各々が当該シーケンス情報に関連する番組の出力箇所を別々に指定する、複数の出力指示情報を含むことがあり、
前記複数の出力指示情報の各々は、番組の放送局情報と、出力開始時刻と、出力終了時刻との記述を含み、
前記シーケンス情報は、前記シーケンス情報に対するタイトル情報を含み、
前記出力制御装置はさらに、
当該シーケンス情報に含まれるタイトル情報と、前記複数の出力指示情報の各々により指定される箇所の出力を開始するためにユーザが操作すべき、複数のＧＵＩ部品とを前記表示装置上に表示するための手段と、
前記表示するための手段により表示されたＧＵＩ部品のいずれかがユーザにより操作されたことに応答して、当該操作されたＧＵＩ部品に対応する出力指示情報内の放送局情報により指定される番組の、出力開始時刻により指定される箇所から出力を開始するように指示する出力開始指示信号を、当該操作されたＧＵＩ部品に対応する出力指示情報内の放送局情報と出力開始時刻を用いて生成し、前記記憶・出力装置に与えるための手段と、
前記操作されたＧＵＩ部品に対応する出力指示情報内の出力終了時刻になったことに応答して、出力を終了することを指示する出力終了指示信号を、当該操作されたＧＵＩ部品に対応する出力指示情報内の出力終了時刻を用いて生成し、前記記憶・出力装置に与えるための手段とを含む、請求項１に記載の出力制御装置。
【請求項９】
前記シーケンス情報は、複数の出力指示情報と、前記シーケンス情報に対するタイトル情報とを含むことがあり、
前記複数の出力指示情報の各々は、対応する番組の前記放送局情報と、前記出力開始時刻と、前記出力終了時刻との記述を含み、
前記出力開始指示信号生成手段は、
前記シーケンス情報記憶手段に記憶された前記シーケンス情報内の前記複数の出力指示情報の各々について順番に、当該出力指示情報に含まれる放送局情報により指定される番組の、前記出力開始時刻から前記出力終了時刻までに放送された部分の出力を行なうように指示する出力開始指示信号を、前記出力指示情報に含まれる放送局情報と、前記出力開始及び終了時刻とを用いて生成し、前記記憶・出力装置に対して与えることを繰返すための手段を含む、請求項１に記載の出力制御装置。
【請求項１０】
さらに、前記シーケンス情報を外部のシーケンス情報供給源から取得して前記シーケンス情報記憶手段に記憶させるためのシーケンス情報取得手段を含む、請求項１〜請求項９のいずれかに記載の出力制御装置。
【請求項１１】
前記シーケンス情報取得手段は、
ネットワーク上の、シーケンス情報を取得するためのアクセス先のアクセス情報が関連付けられた番組紹介項目を含む電子的な番組紹介文書を、番組紹介文書の提供元の装置から取得して表示するためのブラウザ部と、
前記ブラウザ部により表示された電子的な番組紹介文書内の番組紹介項目のいずれかを選択するユーザの入力を受けるための手段と、
前記受けるための手段が受けた入力に応答し、当該入力によって選択された番組紹介項目に関連付けられたアクセス情報を用いて当該アクセス先にアクセスしてシーケンス情報を取得し、前記シーケンス情報記憶手段に記憶させるための手段とを含む、請求項１０に記載の出力制御装置。
【請求項１２】
前記シーケンス情報取得手段は、
ネットワーク上の、シーケンス情報の取得予約をするためのアクセス先のアクセス情報が関連付けられた番組紹介項目を含む電子的な番組紹介文書を、番組紹介文書の提供元の装置から取得して表示するためのブラウザ部と、
前記ブラウザ部により表示された電子的な番組紹介文書内の番組紹介項目のいずれかを選択するユーザの入力を受けるための手段と、
前記受けるための手段が受けた入力に応答し、当該入力によって選択された番組紹介項目に関連付けられたアクセス情報を用いて前記アクセス先にアクセスし前記シーケンス情報の取得を予約するための予約手段と、
前記予約手段により予約された前記シーケンス情報を受信したことに応答して、当該シーケンス情報を前記シーケンス情報記憶手段に記憶させるための手段とを含む、請求項１０に記載の出力制御装置。
【請求項１３】
前記シーケンス情報取得手段は、
ネットワーク上の所定の宛先アカウントに送信されたメッセージを受信するためのメッセージ受信手段と、
前記メッセージ受信手段により受信されたメッセージから、もしあればシーケンス情報を抽出し、前記シーケンス情報記憶手段に記憶させるための手段とを含む、請求項１０に記載の出力制御装置。
【請求項１４】
前記メッセージ受信手段は、ネットワーク上の所定の電子メールアカウントに保存されている電子メールを、当該電子メールアカウントから受信するための電子メール受信手段を含む、請求項１３に記載の出力制御装置。
【請求項１５】
前記シーケンス情報取得手段は、前記記憶・出力装置が記憶した番組データに含まれているシーケンス情報を抽出して前記シーケンス情報記憶手段に記憶させるための手段を含む、請求項１０に記載の出力制御装置。
【請求項１６】
前記出力開始制御手段は、
前記シーケンス情報取得手段により取得されたシーケンス情報を解釈することにより、当該シーケンス情報により指定される番組の出力を行うためにユーザが操作すべきＧＵＩ部品を表示装置上に表示させるための手段と、
前記ＧＵＩ部品をユーザが操作したことを検知して、当該ＧＵＩ部品と関連付けられたシーケンス情報に記述された放送局情報により指定される番組の出力を開始するように指示する出力開始指示信号を、当該ＧＵＩ部品と関連付けられたシーケンス情報に記述された放送局情報及び出力開始時刻を用いて生成し、前記記憶・出力装置に対して与えるための手段とを含む、請求項１に記載の出力制御装置。
【請求項１７】
前記シーケンス情報は、当該シーケンス情報により指定される番組のジャンルを記述するジャンル情報を含み、
前記シーケンス情報取得手段は、ジャンル情報に基づいてシーケンス情報を検索するための手段を含む、請求項１〜請求項１６のいずれかに記載の出力制御装置。
【請求項１８】
前記出力開始時刻は、所定の標準時からの時差を含む時刻情報であり、
前記出力開始制御手段は、前記シーケンス情報内の前記出力開始及び終了時刻について、前記所定の標準時から前記出力制御装置と関連付けられた時刻への換算を行なって前記記憶・出力装置を制御する際に使用する、請求項１〜請求項１７のいずれかに記載の出力制御装置。
【請求項１９】
前記出力開始制御手段は、
前記シーケンス情報記憶手段に記憶されたシーケンス情報に記述された放送局情報により指定される放送局で、前記出力開始時刻に放送されていたものが前記記憶・出力装置に記憶されているか否かを判定するための手段と、
前記判定するための手段により、前記記憶・出力装置に、該当する番組が記憶されていると判定されたことに応答して、当該番組の出力を前記出力開始時刻に相当する箇所から開始するように前記記憶・出力装置を制御するための手段とを含む、請求項１に記載の出力制御装置。
【請求項２０】
前記出力開始制御手段はさらに、前記判定するための手段により、前記記憶・出力装置に、該当する番組が記憶されていないと判定されたことに応答して、当該番組の出力ができないことを示すメッセージを出力するための手段を含む、請求項１９に記載の出力制御装置。
【請求項２１】
放送番組を、その放送局、放送日及び放送時間を特定可能な態様で記憶し、放送局及び日時を指定した所定の出力開始指示信号を受けると、記録された番組のうち、指定される放送局で、指定される日時に放送されていたものがあれば、当該番組を出力する機能を持つ記憶・出力装置とのインターフェースを有するコンピュータにより実行されると、当該コンピュータを、請求項１〜請求項２０のいずれかに記載の出力制御装置の各手段として機能させる、コンピュータプログラム。
【請求項２２】
放送番組を、その放送局、放送日及び放送時間を特定可能な態様で記憶し、記憶された番組のうち、指定される放送局で、指定される日時に放送されていたものを出力する機能を持つ記憶・出力装置と、
放送局情報と出力開始時刻とが記述された、記憶の出力シーケンスを指示するシーケンス情報を記憶するためのシーケンス情報記憶手段と、
前記シーケンス情報記憶手段に記憶されたシーケンス情報に記述された放送局情報と、前記出力開始時刻とを指定した出力開始指示信号を前記記憶・出力装置に与えて、指定される番組の出力を開始するように前記記憶・出力装置を制御するための出力開始制御手段とを含む、記憶・出力システム。
【請求項２３】
前記シーケンス情報は、前記出力開始時刻と対になるように記載された出力終了時刻をさらに含み、
前記記憶・出力システムはさらに、前記出力開始制御手段により開始された番組の出力を、前記出力終了時刻に対応する出力位置で終了するように前記記憶・出力装置を制御するための出力終了制御手段を含む、請求項２２に記載の記憶・出力システム。
【請求項２４】
放送番組を、その放送局、放送日及び放送時間を特定可能な態様で記憶し、各々が、放送局と出力開始時刻、又は放送局と出力開始時刻及び出力終了時刻とを含む複数の出力指示情報を含むシーケンス情報を受けると、記憶された番組のうち、当該シーケンス情報にしたがい、各シーケンス情報により指定される放送局で、指定される出力開始時刻から出力終了時刻の間に放送されていたものを、前記シーケンス情報にしたがって順番に出力する機能を持つ記憶・出力装置とともに用いられる出力制御装置であって、
前記出力制御装置は、出力指示情報に前記出力終了時刻が含まれていない場合には、当該出力指示情報により指定される放送局及び出力開始時刻により指定される番組を最後まで出力する機能を持ち、
前記出力制御装置は、
前記シーケンス情報を記憶するためのシーケンス情報記憶手段と、
前記シーケンス情報記憶手段に記憶されたシーケンス情報を前記記憶・出力装置に対して与えて出力開始を指示するための出力開始制御手段とを含む、出力制御装置。
【請求項２５】
前記シーケンス情報を外部のシーケンス情報供給源から取得して前記シーケンス情報記憶手段に記憶させるためのシーケンス情報取得手段をさらに含む、請求項２４に記載の出力制御装置。
【請求項２６】
前記シーケンス情報取得手段は、
シーケンス情報を取得するためのアクセス先へのアクセス情報が埋め込まれた関連付けられた番組紹介項目を含む電子的な番組紹介文書を番組紹介文書の提供元の装置から取得して表示するためのブラウザ部と、
前記ブラウザ部により表示された電子的な番組紹介文書内の番組紹介項目のいずれかを選択するユーザの入力を受けるための手段と、
前記受けるための手段により受けた入力に応答し、前記入力によって選択された番組紹介項目に関連付けられたアクセス先情報を用いて前記アクセス先にアクセスして前記シーケンス情報を取得し、前記シーケンス情報記憶手段に記憶させるための手段とを含む、請求項２５に記載の出力制御装置。
【請求項２７】
前記シーケンス情報取得手段は、
シーケンス情報を予約するためのアクセス先へのアクセス情報が関連付けられた番組紹介項目を含む電子的な番組紹介文書を番組紹介文書の提供元の装置から取得して表示するためのブラウザ部と、
前記番組紹介文書中の、いずれかの番組紹介項目を選択するユーザの入力を受けるための予約受付手段と、
前記予約受付手段を介したユーザの入力により選択された番組紹介項目に関連付けられたアクセス情報を用いて前記アクセス先にアクセスし、前記シーケンス情報の取得の予約のための処理を実行するための手段とを含む、請求項２６に記載の出力制御装置。
【請求項２８】
前記シーケンス情報取得手段は、
ネットワーク上の所定の宛先アカウントに送信されたメッセージを受信するためのメッセージ受信手段と、
前記メッセージ受信手段により受信されたメッセージから、もしあればシーケンス情報を抽出し、前記シーケンス情報記憶手段に記憶させるための手段とを含む、請求項２５に記載の出力制御装置。
【請求項２９】
前記メッセージ受信手段は、
ネットワーク上の所定の電子メールアカウントに保存されている電子メールを、当該電子メールアカウントから受信するための電子メール受信手段を含む、請求項２８に記載の出力制御装置。
【請求項３０】
前記シーケンス情報取得手段は、前記記憶・出力装置が記憶する番組データから、もしあれば前記シーケンス情報を抽出し、前記シーケンス情報記憶手段に記憶させるための手段を含む、請求項２５に記載の出力制御装置。
【請求項３１】
前記出力開始制御手段は、
前記シーケンス情報取得手段により取得されたシーケンス情報を解析することにより、当該シーケンス情報により指定される番組の出力を行なうためにユーザが操作すべきＧＵＩ部品を表示装置上に表示させるための手段と、
前記ＧＵＩ部品をユーザが操作したことを検知して、当該ＧＵＩ部品と関連付けられたシーケンス情報内の各出力指示情報に記述された前記放送局情報並びに前記出力開始及び終了時刻を用いて、前記放送局情報により指定される放送局で放送された番組の、前記出力開始及び終了時刻の間の部分の出力を開始するように指示する出力開始指示信号を生成し、前記記憶・出力装置に対して与えるための手段とを含む、請求項２４に記載の出力制御装置。
【請求項３２】
前記シーケンス情報は、当該シーケンス情報により指定される番組のジャンルを記述するジャンル情報をさらに含み、
前記出力制御装置は、ジャンル情報に基づいてネットワーク上のシーケンス情報を検索し、検索されたシーケンス情報を前記シーケンス情報記憶手段に記憶させるための手段をさらに含む、請求項２４〜請求項３１のいずれかに記載の出力制御装置。
【請求項３３】
前記出力開始及び終了時刻は、いずれも所定の標準時からの時差を含む時刻情報であり、
前記出力開始制御手段は、前記複数の出力指示情報の各々の前記出力開始及び終了時刻について、前記所定の標準時から前記出力制御装置と関連付けられた時刻への換算を行なって前記記憶・出力装置を制御する際に使用する、請求項２４〜請求項３２のいずれかに記載の出力制御装置。
【請求項３４】
前記出力開始制御手段は、
前記シーケンス情報記憶手段に記憶されたシーケンス情報内の各出力制御情報に記述された放送局情報により指定される放送局で、前記出力開始時刻に放送されていたものが前記記憶・出力装置に記憶されているか否かを判定するための手段と、
前記判定するための手段により、前記記憶・出力装置に、該当する番組が記憶されていると判定されたことに応答して、当該番組の出力を前記出力開始時刻に相当する箇所から前記出力終了時刻に相当する箇所まで行なうように前記記憶・出力装置を制御するための手段とを含む、請求項２４に記載の出力制御装置。
【請求項３５】
放送番組を、その放送局、放送日及び放送時間を特定可能な態様で記憶し、放送局並びに出力開始及び終了時刻を各々が指定した出力指示情報を複数個含む所定のシーケンス情報を受けると、記録された番組のうち、前記複数個の出力指示情報の各々に対し、当該出力指示情報により指定される放送局で、出力開始時刻から放送された番組があれば、前記出力終了時刻に対応する箇所まで当該番組を出力することを繰返す機能を持つ記憶・出力装置とのインターフェースを有するコンピュータにより実行されると、当該コンピュータを、請求項２４〜請求項３４のいずれかに記載の出力制御装置の各手段として機能させる、コンピュータプログラム。
【請求項３６】
放送番組を、その放送局、放送日及び放送時間を特定可能な態様で記憶し、放送局及び日時を指定した所定の出力開始指示信号を受けると、記録された番組のうち、指定される放送局で、指定される日時に放送されていたものがあれば、当該番組を出力する機能を持つ記憶・出力装置とのインターフェースを有し、請求項２１に記載のコンピュータプログラムによりプログラムされた、コンピュータ。
【請求項３７】
放送番組を、その放送局、放送日及び放送時間を特定可能な態様で記憶し、放送局並びに出力開始及び終了時刻を各々が指定した出力指示情報を複数個含む所定のシーケンス情報を受けると、記録された番組のうち、前記複数個の出力指示情報の各々に対し、当該出力指示情報により指定される放送局で、出力開始時刻から放送された番組があれば、前記出力終了時刻に対応する箇所まで当該番組を出力することを繰返す機能を持つ記憶・出力装置とのインターフェースを有し、請求項３５に記載のコンピュータプログラムによりプログラムされた、コンピュータ。
【請求項３８】
放送番組を、その放送局、放送日及び放送時間を特定可能な態様で記憶するための記憶手段、及び前記記憶手段により記憶された番組のうち、指定されるものを出力するための出力手段を含む記憶・出力装置を制御するための第１のインターフェースと、
放送局と日時とを特定できる情報を含むシーケンス情報を受けるための第２のインターフェースとを有するコンピュータにより実行されると、当該コンピュータを、
シーケンス情報を前記第２のインターフェースにおいて受けると、前記記憶手段により記憶された番組のうち、当該シーケンス情報を用いて特定される放送局で、当該シーケンス情報を用いて特定される出力開始時刻を含む時間帯に放送されていたものの出力を、前記特定される出力開始時刻から開始するように、前記第１のインターフェースを介して前記出力手段を制御するための出力開始制御手段として機能させる、コンピュータプログラム。
【請求項３９】
放送番組を、その放送局、放送日及び放送時間を特定可能な態様で記憶するための記憶手段、及び前記記憶手段により記憶された番組のうち、指定されるものを出力するための出力手段を含む記憶・出力装置を制御するための第１のインターフェースと、
放送局と日時とを特定できる情報を含むシーケンス情報を受けるための第２のインターフェースとを有するコンピュータにより実行されると、当該コンピュータを、
シーケンス情報を前記第２のインターフェースにおいて受けると、前記記憶手段により記憶された番組のうち、当該シーケンス情報を用いて特定される放送局で、当該シーケンス情報を用いて特定される出力開始時刻と出力終了時刻との間の時間帯と重なる部分を持つ時間帯に放送されていた番組の出力を、
前記特定される出力開始時刻が当該番組の放送開始時刻より早い場合には、その先頭から、
放送開始時刻より遅い場合には前記特定される出力開始時刻から、
それぞれ開始するように、前記第１のインターフェースを介して前記出力手段を制御するための出力開始制御手段として機能させる、コンピュータプログラム。
【請求項４０】
前記コンピュータを、前記シーケンス情報を用いて特定される出力終了時刻になると、前記出力手段で出力中の番組の出力を終了するように、前記第１のインターフェースを介して前記出力手段を制御するための出力終了制御手段としてさらに機能させる、請求項３８又は請求項３９に記載のコンピュータプログラム。
【請求項４１】
放送番組を、その放送局、放送日及び放送時間を特定可能な態様で記憶するための記憶手段、及び前記記憶手段により記憶された番組のうち、指定されるものを出力するための出力手段を含む記憶・出力装置を制御するための第１のインターフェースと、各々が放送局と日時とを特定できる、複数組の情報を含むシーケンス情報を受けるための第２のインターフェースとを有するコンピュータにより実行されると、当該コンピュータを、
シーケンス情報を前記第２のインターフェースにおいて受けると、当該シーケンス情報に含まれる複数組の情報を順番に処理するための出力指示処理手段として機能させるコンピュータプログラムであって、
前記出力指示処理手段は、前記複数組の情報の各々に対し、前記記憶手段により記憶された番組のうち、当該情報により特定される放送局で、当該情報により特定される出力開始時刻及び出力終了時刻の間に放送されていた部分を出力するように前記出力手段を制御するための出力制御手段として前記コンピュータを機能させる、コンピュータプログラム。
【請求項４２】
放送番組を、その放送局、放送日及び放送時間を特定可能な態様で記憶するための記憶手段、及び前記記憶手段により記憶された番組のうち、指定されるものを出力するための出力手段を含む記憶・出力装置を制御するための第１のインターフェースと、
放送局と日時とを特定できる情報を含むシーケンス情報を受けるための第２のインターフェースとを有するコンピュータであって、
当該コンピュータを、
シーケンス情報を前記第２のインターフェースにおいて受けると、前記記憶手段により記憶された番組のうち、当該シーケンス情報を用いて特定される放送局で、当該シーケンス情報を用いて特定される出力開始時刻を含む時間帯に放送されていたものの出力を、前記特定される出力開始時刻から開始するように、前記第１のインターフェースを介して前記出力手段を制御するための出力開始制御手段として機能させるコンピュータプログラム、
によりプログラムされた、コンピュータ。
【請求項４３】
放送番組を、その放送局、放送日及び放送時間を特定可能な態様で記憶するための記憶手段、及び前記記憶手段により記憶された番組のうち、指定されるものを出力するための出力手段を含む記憶・出力装置を制御するための第１のインターフェースと、
放送局と日時とを特定できる情報を含むシーケンス情報を受けるための第２のインターフェースとを有するコンピュータであって、
当該コンピュータを、
シーケンス情報を前記第２のインターフェースにおいて受けると、前記記憶手段により記憶された番組のうち、当該シーケンス情報を用いて特定される放送局で、当該シーケンス情報を用いて特定される出力開始時刻と出力終了時刻との間の時間帯と重なる部分を持つ時間帯に放送されていた番組の出力を、
前記特定される出力開始時刻が当該番組の放送開始時刻より早い場合には、その先頭から、
放送開始時刻より遅い場合には前記特定される出力開始時刻から、
それぞれ開始するように、前記第１のインターフェースを介して前記出力手段を制御するための出力開始制御手段として機能させるコンピュータプログラム、
によってプログラムされた、コンピュータ。
【請求項４４】
前記コンピュータを、前記シーケンス情報を用いて特定される出力終了時刻になると、前記出力手段で出力中の番組の出力を終了するように、前記第１のインターフェースを介して前記出力手段を制御するための出力終了制御手段としてさらに機能させる前記コンピュータプログラムによりプログラムされた、請求項４２又は請求項４３に記載のコンピュータ。
【請求項４５】
放送番組を、その放送局、放送日及び放送時間を特定可能な態様で記憶するための記憶手段、及び前記記憶手段により記憶された番組のうち、指定されるものを出力するための出力手段を含む記憶・出力装置を制御するための第１のインターフェースと、各々が放送局と日時とを特定できる、複数組の情報を含むシーケンス情報をを受けるための第２のインターフェースとを有するコンピュータであって、
当該コンピュータを、
シーケンス情報を前記第２のインターフェースを介して受けると、当該シーケンス情報に含まれる複数組の情報を順番に処理するための出力指示処理手段であって、前記複数組の情報の各々に対し、前記記憶手段により記憶された番組のうち、当該情報により特定される放送局で、当該情報により特定される出力開始時刻及び出力終了時刻の間に放送されていた部分を出力するように前記出力手段を制御するための出力制御手段を含む出力指示処理手段として機能させるコンピュータプログラム、
によってプログラムされた、コンピュータ。
【手続補正２】
【補正対象書類名】明細書
【補正対象項目名】発明の名称
【補正方法】変更
【補正の内容】
【発明の名称】出力制御装置、記憶・出力システム、コンピュータ及びコンピュータプログラム
【手続補正３】
【補正対象書類名】明細書
【補正対象項目名】００２１
【補正方法】変更
【補正の内容】
【００２１】
それゆえに、本発明の目的は、利用可能なストリームに束縛されずに、番組等のストリーム出力に関する出力指示情報を容易に利用可能とする出力制御装置、記憶・出力システム、及びそのためのコンピュータプログラムを提供することである。
【手続補正４】
【補正対象書類名】明細書
【補正対象項目名】００２２
【補正方法】変更
【補正の内容】
【００２２】
本発明の他の目的は、利用可能なストリームに束縛されずに、記憶されている番組の出力に関する出力指示情報を容易に利用可能とする出力制御装置、記憶・出力システム、及びそのためのコンピュータプログラムを提供することである。
【手続補正５】
【補正対象書類名】明細書
【補正対象項目名】００２３
【補正方法】変更
【補正の内容】
【００２３】
この発明のさらに他の目的は、出力指示情報を指定する情報をダウンロードした後に、その情報が記録されているどの番組に対応するかの判定をユーザが行なう必要のない、出力制御装置、記憶・出力システム、及びそのためのコンピュータプログラムを提供することである。
【手続補正６】
【補正対象書類名】明細書
【補正対象項目名】００２４
【補正方法】変更
【補正の内容】
【００２４】
この発明のさらに他の目的は、ユーザが出力指示情報を得る際に、ストリームデータに関する付帯情報をユーザが容易に入手できるような出力制御装置、記憶・出力システム、及びそのためのコンピュータプログラムを提供することである。
【手続補正７】
【補正対象書類名】明細書
【補正対象項目名】００５２
【補正方法】変更
【補正の内容】
【００５２】
以上のように本発明によれば、利用可能なストリームとは必ずしも関係なく、番組等のストリーム出力に関する出力指示情報を容易に利用できる。例えば、大容量記憶装置などに記憶されているストリームについても、それらの内容を確認することなく、単に出力指示情報を用いて番組の出力を指示するだけで、記憶・出力装置に対して出力の指示を与えることができる。したがって、利用可能なストリームに束縛されずに、番組等のストリーム出力に関する出力指示情報を容易に利用可能とする出力制御装置を提供できる。
【手続補正８】
【補正対象書類名】明細書
【補正対象項目名】００５３
【補正方法】変更
【補正の内容】
【００５３】
また、番組表等に出力指示情報を埋め込むことにより、番組表をダウンロードした後に、その番組表内のどの番組が、記憶されているどの番組に対応するかをユーザが判定することなく、単に番組表の中から所望の番組を選択するだけで、記憶・出力装置に対してその番組の出力開始を指示する信号が与えられる。したがって、出力指示情報を指定する情報をダウンロードした後に、その情報が記憶されているどの番組に対応するかの判定をユーザが行なう必要のない、出力制御装置を提供することができる。また、番組表に出力指示情報を埋込んでおくことで、ユーザは、番組に関する付帯情報を番組表の形で容易に入手できる。